(57)【要約】  【課題】  家具等の対象物を壁面に固定する際に壁面に固定されるネジなどに直接かかる荷重を減少させることで、壁面への負担を軽減することを課題とする。  【解決手段】  壁面固定構造において、壁面に取り付ける対象物の前記壁面に相対する面である取付面と前記壁面との間に設けられる、前記壁面と前記対象物間の摩擦力を増加させる摩擦力付加手段と、前記摩擦力を増加させるような押圧力を加える押圧力付加手段とを設ける。これにより、壁面と対象物の取付面との摩擦力が高まりネジなどにかかる荷重をそれだけ小さくできるので、ネジなどの取り付け部材を少なくしたり、小さなものにしたりすることが可能となる。【選択図】  図２
2005240999.tif 000002
【特許請求の範囲】
【請求項１】
壁面に取り付ける対象物の前記壁面に相対する面である取付面と前記壁面との間に設けられる、前記取付面と前記壁面間の摩擦力を増加させる摩擦力付加手段と、
前記摩擦力を増加させるような押圧力を加える押圧力付加手段と
を有する壁面固定構造。
【請求項２】
前記押圧力付加手段は、
前記取付面に設けられる、下方から上方に向かって前記取付面に近づく、前記取付面に面した傾斜面を有する楔部材と、
前記壁面に設けられる、前記傾斜面を下方から支持する縁部を有する支持部材と
より構成される請求項１に記載の壁面固定構造。
【請求項３】
前記楔部材は前記対象物の重心を通り前記壁面に垂直な平面と前記取付面とが交わる線上に一つだけ存する請求項２に記載の壁面固定構造。
【請求項４】
前記押圧力付加手段は、
前記取付面と前記壁面間の距離を所定距離に連結する連結部材と、
前記取付面と前記壁面間の距離が前記所定距離に連結されることで変形させられる弾性体により形成される反発部材と
より構成される請求項１に記載の壁面固定構造。
【請求項５】
前記連結部材は前記対象物の重心を通り前記壁面に垂直な平面と前記取付面とが交わる線上の一点のみと前記壁面との距離を前記所定距離に連結する請求項４に記載の壁面固定構造。
【請求項６】
前記押圧力付加手段は、
前記対象物の側面若しくは表面縁部に係合する対象物側縁係合部材と、
前記壁面に係合する壁面係合部材と、この対象物側縁係合部材と壁面係合部材との間に押圧力を加える押圧力付加部材とからなる押圧力付加器具により構成される
請求項１又は４に記載の壁面固定構造。
【請求項７】
前記摩擦力付加手段は、板状又はシート状であって前記取付面に貼り付けられる請求項１から６のいずれか１項に記載の壁面固定構造。
【請求項８】
前記摩擦力付加手段は、弾性体により形成される請求項１から７のいずれか１項に記載の壁面固定構造。
【請求項９】
請求項２に記載の楔部材。
【請求項１０】
請求項２に記載の支持部材。
【請求項１１】
請求項２又は３に記載の楔部材を有する家具。
【請求項１２】
請求項２に記載の支持部材を有する壁部材。
【請求項１３】
前記縁部が壁面に対して出没可能に形成される請求項１２に記載の壁部材。
【請求項１４】
請求項６に記載の押圧力付加器具。
【請求項１５】
請求項１４に記載の押圧力付加器具の対象物側縁係合部材が係合する上下に伸びる溝を側面に有する家具。
【発明の詳細な説明】
【技術分野】
【０００１】
本発明は家具や絵画等を壁面に取り付けるための構造に関する。
【背景技術】
【０００２】
従来から、家具などの対象物を壁面に取り付ける方法として、家具をＬ字型の金具などで下方から支持する方法や、対象物の背面を壁面にネジ止めする方法、壁面に設けられたフック等にワイヤー等で吊下げる方法、壁面に固定したブラケットに対象物の背面に形成した係合部材を係合させる方法などがある。
【特許文献１】実開昭５９−１５４１５１号公報
【特許文献２】特開平１０−８５０６２号公報
【発明の開示】
【発明が解決しようとする課題】
【０００３】
ところで、これらの方法では壁面に固定されるネジなどに対して直接対象物の荷重がかかることになる。このため、対象物の重さに応じてネジなどを固定する数を増やしたり、ネジの太さを太くしたりする必要があった。このために、壁面に対して多くの穴を開けたり傷をつけたりする結果となっている。
本発明はこのような問題に鑑み、家具等の対象物を壁面に固定する際に壁面に固定されるネジなどに直接かかる荷重を減少させることで、壁面への負担を軽減することを課題とする。
【課題を解決するための手段】
【０００４】
上記課題を解決するために、本発明は次のような構成を有する。
請求項１に記載の発明は、壁面に取り付ける対象物の前記壁面に相対する面である取付面と前記壁面との間に設けられる、前記壁面と前記対象物間の摩擦力を増加させる摩擦力付加手段と、前記摩擦力を増加させるような押圧力を加える押圧力付加手段とを有する壁面固定構造である。なお、ここでの「摩擦力」は前記壁面と前記取付面間に直接生じる摩擦力だけでなく、前記壁面と前記取付面との間に介在する介在物がある場合に、前記介在物と前記壁面間や前記取付面と前記介在物間の摩擦力も含まれる。
請求項２に記載の発明は、前記壁面取付構造において前記押圧力付加手段が、前記取付面に設けられる、下方から上方に向かって前記取付面に近づく、前記取付面に面した傾斜面を有する楔部材と、前記壁面に設けられる、前記傾斜面を下方から支持する縁部を有する支持部材とより構成されるものである。
請求項３に記載の発明は、前記壁面取付構造において、前記楔部材は前記対象物の重心を通り前記壁面に垂直な平面と前記取付面とが交わる線上に一つだけ存するものである。
請求項４に記載の発明は、請求項１に記載の壁面取付構造において、前記押圧力付加手段は、前記取付面と前記壁面間の距離を所定距離に連結する連結部材と、前記取付面と前記壁面間の距離が前記所定距離に連結されることで変形させられる弾性体により形成される反発部材とより構成されるものである。なお、「所定距離」は弾性体で距離を維持するように、一定範囲の幅を持つ場合を含む。
請求項５に記載の発明は、請求項４に記載の壁面取付構造において、前記連結部材は前記対象物の重心を通り前記壁面に垂直な平面と前記取付面とが交わる線上の一点のみと前記壁面との距離を前記所定距離に連結するものである。
請求項６に記載の発明は、請求項１又は４に記載の壁面固定構造において、前記押圧力付加手段は、前記対象物の側面若しくは表面縁部に係合する対象物側縁係合部材と、前記壁面に係合する壁面係合部材と、この対象物側縁係合部材と壁面係合部材との間に押圧力を加える押圧力付加部材とからなる押圧力付加器具より構成される。
【０００５】
請求項７に記載の発明は、前記壁面取付構造において、前記摩擦力付加手段は、板状又はシート状であって前記取付面に貼り付けられるものである。
請求項８に記載の発明は、前記壁面取付構造において、前記摩擦力付加手段は、弾性体により形成されるものである。
請求項９に記載の発明は、請求項２に記載の楔部材である。
請求項１０に記載の発明は、請求項２に記載の支持部材である。
請求項１１に記載の発明は、請求項２又は３に記載の楔部材を有する家具である。なお、本願における家具とは、利便性を提供する棚などのほかに、絵画や彫刻等の装飾物などの家の中において固定されて使用される物を広く含む。
請求項１２に記載の発明は、請求項２に記載の支持部材を有する壁部材である。
請求項１３に記載の発明は、請求項１２に記載の壁部材において、前記縁部が壁面に対して出没可能に形成さ  れるものである。
請求項１４に記載の発明は、請求項６に記載の押圧力付加器具である。
請求項１５に記載の発明は、請求項１４に記載の押圧力付加器具の対象物側縁係合部材が係合する上下に伸びる溝を側面に有する家具である。
【発明の効果】
【０００６】
請求項１に記載の発明は、摩擦力付加手段による前記摩擦力を増加させるような押圧力を押圧力付加手段が加えるので、壁面と対象物の取付面との摩擦力が高まりネジなどにかかる荷重をそれだけ小さくできるので、ネジなどの取り付け部材を少なくしたり、小さなものにしたりすることが可能となる。
請求項２に記載の発明は、前記取付面に設けられる楔部材の傾斜面を、壁面に設けられる支持部材の縁部が支持することにより、対象物の重さが傾斜面により斜め方向の力に分断されることになる。すなわち、この斜め方向の力の内の壁面方向成分の力によって対象物の取付面は壁面に押し付けられることになり、これが前記摩擦力を増加させる押圧力となる。また、対象物の荷重は、押圧力により増加した摩擦力と、傾斜面と支持部材とにかかる力によって支持されるので、傾斜面と支持部材との間にかかる荷重は単独で対象物の荷重を受けることに比較して少なくてすむので、楔部材および楔部材と取付面との取付構造、支持部材、支持部材と壁面との取り付け構造に必要な強度をより小さなものとすることができる。
請求項３に記載の発明は、前記楔部材は前記対象物の重心を通り前記壁面に垂直な平面と前記取付面とが交わる線上に一つだけ存するものであるので、壁面と取付面は１点だけで連結されることになる。従って、対象物が左右に傾いていても簡易に調整することができる。
請求項４に記載の発明は、連結部材が前記取付面と前記壁面間の距離を所定距離以内に連結し、この連結により弾性体により形成される反発部材が変形させられるので、反発部材は元に戻る力により前記距離を離そうという力を壁面および取付面に加えることになる。すなわち前記摩擦力を増加させる押圧力を発生させることができる。
請求項５に記載の発明は、前記連結部材は前記対象物の重心を通り前記壁面に垂直な平面と前記取付面とが交わる線上の一点のみと前記壁面との距離を前記所定距離以内に連結するものであるので、やはり、対象が左右に傾いても簡易に調整することができる。
請求項６に記載の発明は、対象物側縁係合部材によって、表出している前記対象物の側面もしくは表面縁部に係合させることで壁面と対象物の間の押圧力を高めるので、取り付け取り外し時の作業を容易にすることができる。
【０００７】
請求項７に記載の発明は、前記摩擦力付加手段は、板状又はシート状であって前記取付面に貼り付けられるものであるので、取付面が傾いたりずれたりしても摩擦力付加手段もこれに追従して動くので、摩擦力付加手段が表出することがなく、見栄えをよくすることができる。
請求項８に記載の発明は、前記摩擦力付加手段が、弾性体により形成されるものであるので、押圧を受けて弾性変形することにより反発力が発生し、この反発力により摩擦力を高くすることに資することができる。
請求項９に記載の発明は、請求項２に記載の楔部材であり、これを摩擦力付加手段をもつ家具の取付面に固定することで、支持部材が設けられた壁面に家具を固定することができる。
請求項１０に記載の発明は、請求項２に記載の支持部材であり、これを壁面に固定すれば、楔部材と摩擦力付加手段が設けられた家具を固定することができる。
請求項１１に記載の発明は、請求項２又は３に記載の楔部材を有する家具であり、摩擦力付加手段を設ければ、前記支持手段を設けた壁面に固定することができる。
請求項１２に記載の発明は、請求項２に記載の支持部材を有する壁部材であり、前記楔部材と摩擦力付加手段を設けた家具を壁面に固定することができる。
請求項１３に記載の発明は、請求項１２に記載の壁部材において、前記縁部が壁面に対して出没可能に形成されるので、必要な場合にのみ出して前記楔部材と摩擦力付加手段を設けた家具を壁面に固定することができ、不要なときには隠しておくことができる。
請求項１４に記載の発明は、請求項６に記載の押圧力付加器具であり、摩擦力付加手段を設けれた家具と壁面とに係合させることで、両者を固定することができる。
請求項１５に記載の発明は、請求項１４に記載の押圧力付加器具の対象物側縁係合部材が係合する上下に伸びえる溝を側面に有する家具であり、家具が厚く家具の表面縁部に押圧力付加器具を係合させることが困難な場合であっても、家具を傷つけることなく押圧力付加器具を上下位置の調整をしながら取り付けることができる。
【発明を実施するための最良の形態】
【０００８】
以下、本発明の実施の形態について、図面を参照しながら説明する。
（実施の形態１）
図１に本実施の形態に係る壁面取付構造Ａにより取り付けられる、家具Ｘと壁面Ｙの両者を取り外した状態を示す斜視図を示し、図２に壁面取付構造Ａにより取り付けられた家具Ｘと壁面Ｙを示す縦断面図を示す。
壁面取付構造Ａは、楔部材１、支持部材２、摩擦力付加部材３とから構成される。楔部材１は家具Ｘの背面である取付面に取り付け舌部１ｂを介して木ねじにより固定されている。楔部材１は鉄製のブロック体であり、取付面側に下方から上方に向かって前記取付面に近づく、前記取付面に面した傾斜面１ａを有する。楔部材１は取付面の横方向の丁度中心位置、すなわち、取付対象である家具Ｘの重心を通り前記壁面Ｙに垂直な平面と前記取付面とが交わる線上に一つだけ設けられる。
支持部材２は壁面に木ねじにより固定されるものであり、平面視コの字状の鉄製部材によって形成される。この支持部材２の上縁が前記楔部材１の傾斜面を下方から支持する縁部２ａを構成する。この楔部材１と支持部材２とで押圧力付加手段を形成する。
摩擦力付加部材３はゴム製で前記取付面の縁部に沿った内側を一定幅で覆うように形成される板状部材である。摩擦力付加部材３は取付面に接着剤により固定されている。
図２に示すように前記楔部材１の傾斜面１ａを前記支持部材２の縁部２ａに当接するように組み合わせることで壁面取付構造Ａは完成する。なお、楔部材１の壁面へ向かう高さは、摩擦力付加部材３の壁面Ｙに接する面を超えず、一定距離の余裕を有するように設定されており、係合時に支持部材１が摩擦力付加部材３の摩擦力の低減を招かないようにされている。
【０００９】
このような構成の壁面取付構造Ａの原理を以下に説明する。この取付構造における家具側に作用する力は、家具の荷重Ｗ、楔部材１の傾斜面１ａと支持部材２の縁部２ａ間で生じる反力Ｒ、摩擦力付加部材３と壁面Ｙとの間で生じる摩擦力Ｆ２と効力Ｎｘである。反力Ｒは斜め方向の力なので、これを水平成分Rｈと垂直成分Ｆ１に分解する。水平成分Rｈは押圧力付加手段としての楔部材と支持部材により発生する押圧力になる。摩擦力付加部材３と壁面Ｙとの摩擦力係数をμとすると、摩擦力付加部材３への壁面Ｙからの抗力Ｎｘは水平方向の反力Ｒｈに等しいので、垂直方向に関して、Ｗ＝Ｆ１＋Ｆ２＝Ｆ１＋μＮｘ＝Ｆ１＋μＲｈという等式が成立する。つまり、楔部材１もしくは支持部材２にかかる垂直方向の荷重Ｆ１は家具Ｘの荷重ＷよりもμＲｈ分だけ小さくなる。従って、楔部材１による垂直方向の支持力は小さくて済み、一つの楔部材１でも荷重を持たせることが可能となる。また、一点で支持することで、取り付け位置の制約が小さくなるとともに、家具Ｘが歪んで取り付けられても容易に回転させて修正することができる。
【００１０】
（実施の形態２）
図３に実施の形態２に係る壁面取付構造Ｂにより取り付けられる家具Ｘと壁面Ｙの取り付け状態を示す縦断面図を示す。壁面取付構造Ｂの壁面取付構造Ａとの相違点は、楔部材１に変えて、楔部材１の斜面１ａ部分が垂直に形成された連結部材５を有する点、摩擦力付加部材３と家具Ｘの取付面との間に弾性体である圧縮バネにより形成される反発部材６が複数配列してある点である。反発部材６、前記連結部材５が支持部材２に係合して、壁面Ｙと取付面との間が一定距離以内に拘束されたときに圧縮される長さを有する。この連結部材５と反発部材６とにより押圧力付加手段が形成される。
このような構成の壁面取付構造Ｂの原理を以下に説明する。この取付構造における家具側に作用する力は、家具の荷重Ｗ、連結部材５と支持部材２との間の垂直方向の反力Ｆ３、水平方向の反力Ｒｈ、摩擦力付加部材３と壁面Ｙとの間で生じる摩擦力Ｆ２と効力Ｎｘである。また、反発部材６を構成する圧縮バネすべてを合成したバネ定数をｋとし、係合状態で圧縮バネの縮み量をＸとすると、Ｒｈ＝ｋＸとなる。摩擦力付加部材３と壁面Ｙとの摩擦力係数をμとすると、Ｎｘ＝Ｒｈ＝ｋＸであるので、垂直方向に関して、Ｗ＝Ｆ３＋Ｆ２＝Ｆ３＋μＮｘ＝Ｆ３＋μｋＸという等式が成立する。つまり、連結部材５もしくは支持部材２にかかる垂直方向の荷重Ｆ３は家具Ｘの荷重ＷよりもμｋＸ分だけ小さくなる。従って、連結部材５による垂直方向の支持力は小さくて済み、一つの連結部材５でも荷重を持たせることが可能となる。また、やはり一点で支持することで、取り付け位置の制約が小さくなるとともに、家具Ｘが歪んで取り付けられても容易に回転させて修正することができる。
なお、本実施の形態では、押圧力付加手段を構成する反発部材６を摩擦力付加部材３と取付面の間に設けているが、例えば、図４（ａ）に示すように連結部材５と取付面との間に設けてもよく、また、図４（ｂ）に示すように、家具の一部を弾性体により構成し、これを反発部材として連結により変形させるようにしてもよい。ここで、図４（ａ）では、反発部材６は圧縮バネでなく引っ張りバネが使用され、一定距離を維持するための連結部材には、摩擦力付加部材３が含まれる。また、図４（ｂ）においては家具Ｘと壁面との接触面に摩擦力を高める塗料が塗布してありこれが摩擦力付加部材を構成している。さらに、本実施の形態では反発部材として圧縮バネを設けているが、摩擦力付加部材３が連結される距離に対して十分な変形が可能な弾性材料であれば摩擦力付加部材３を反発部材とすることもできる。さらに、ここでは連結部材５として水平な壁面を持つものを用いているが、実施の形態１において用いたような楔部材を使用することもできる。この場合、楔部材の位置に応じて弾性体の圧縮量が変わるので摩擦力を楔部材の位置に応じて調整することができる。
【００１１】
（変形例）
上記実施の形態では、壁面に設けられる支持部材２は、壁面に木ネジにより固定したものであるが、当初から壁面に組み込んだものとすることができる。図５にかかる構造をもつ壁面の一部破断斜視図を示す。この支持部材２は背面フレーム２２と、Ｌ字部材２１とにより構成される。また、壁面は補強のための桟Ｙａと補強板Ｙｂが設けられている。Ｌ字部材２１はＬ字型の金属性の板状部材で、一方の板状部分が壁面の表面から出没できるようになっている。そして、この出没する板材の先端部分に角穴２１ａが開いている。図６（ａ）に角穴２１ａが壁面から出た状態を表す斜視図を示し、図６（ｂ）に角穴２１ａが壁面に没した状態を表す斜視図を示す。背面フレーム２２は前記壁面Ｙの背面に設けられる補強板Ｙｂに固定されるもので、前記Ｌ字部材２１の他方の板状部分を壁面内に収納する。背面フレーム２２の内壁には板バネ２２ａが設けられ、この板バネがＬ字部材２１を壁面側へ押し出すように作用する。また、この背面フレーム内には図示しないカム機構が設けられ、図６（ａ）の状態から、Ｌ字部材２１を壁面の内面側へ押し込むと、図６（ｂ）に示すようにＬ字部材２１が没した状態に固定され、この状態からＬ字部材２１を押し込むと、固定状態を開放されて、図６（ａ）に示すようなＬ字部材２１が壁面の表側へ出した状態となるようになっている。かかるカム機構は公知なので説明は省略する。このような構成を有する壁部材を家屋を施工する際に使用することで、必要なときに家具をこの支持部材が存在する位置に固定することが可能になり、不要なときは支持部材を壁面内に収納しておくことができる。
【００１２】
上記実施の形態では、押圧力付加手段として、弾性体を利用したものや、家具の重さを利用したものを示したが、そのほかにも図７に示すように、ネジを使用するようなものでもよい。これは、家具Ｘに設けた取付ネジ８と壁面に設けた支持ネジ９と、取付ネジと支持ネジを連結する締結ナット１０とより構成され、締結ナット１０を支持ネジ９と取付ネジ８とが近づく方向に回転させることで、押圧力を付加するものである。
また、上記の実施の形態では摩擦力付加部材を貼り付けたが、家具の取付面に凹凸を形成するなど、家具の取付面自体を加工したものでもよい。
さらに、上記実施の形態１における楔部材は予め傾斜面を固定しているが、これは折りたたみ式にしてもよい。図８（ａ）（ｂ）に折りたたみ式楔部材を表す側面図を示す。この楔部材１は支点１１ａを中心に回動自在に保持される板状の可動部材１１と、この可動部材１１の動きを規制するリンク機構１２とからなる。リンク機構１２は、家具Ｘの背面に支点１２ｂで回動可能に保持されるアーム１２ａと、アーム１２ａに設けられる長穴１２ｄと、可動部材１１と連結し長穴１２ｄを通るピン１２ｃとより構成される。このリンク機構により壁面に家具を固定しない状態においては、回動部材１１を図８（ａ）のように折りたたんだ状態にしておき、使用する場合は図８（ｂ）に示すように斜めにすることで傾斜面１ａを形成して支持部材２に係合させることができる。この際、リンク機構１２により図８（ｂ）の状態からさらに回動部材１１が開く方向に回動することはない。
【００１３】
上記実施の形態では、押圧力付加手段は、取り付け対象物である家具の真ん中に設けられていたが、これを家具の側面若しくは表面縁部に設けることもできる。図９に家具Xの表面縁部に押圧力を加える押圧力付加器具５０が設けられた壁面取付構造Bにより家具Ｘが壁面Ｙに取り付けられた状態を表す斜視図を示し、図１０にこの壁面取付構造Bにより取り付けられた家具Ｘと壁面Ｙの押圧力付加器具５０部分における縦断面図を示す。家具Xはやや厚めの板状体の本体の裏面に摩擦力付加部材３が貼り付けられたもので、表面の複数の長穴に種々のユニットが取り付けられるようになっている。壁面Yには横方向に伸びる溝Yｃが設けられている。溝Yｃは断面コの字状で上面に内面側に凸状の曲面を持つ係合凸条Yｃ１が形成されている。押圧力付加器具５０は、この壁面Ｙに係合する壁面係合部材５１と、取り付け対象物である家具Ｘの前縁に係合する対象物側縁係合部材５２と、壁面係合部材５１と対象物側縁係合部材５２との間に押圧力を加える押圧力付加部材５３とからなる。壁面係合部材５１は、壁面Ｙの溝Ｙｃの係合凸状Ｙｃ１に係合する、係合凸条Ｙｃ１ａの曲面に丁度一致するように湾曲する係止片５１ａと係止片５１ａが溝Ｙｃに係止した状態で壁面係合部材５１全体の下方へ回動しようとする力を壁面に当接することで支持する支持部分５１ｂとにより構成される。対象物側縁係合部材５２は三日月状の板材により形成され、角部分により対象物の表面縁部を押さえることで係合する。押圧力付加部材５３は板バネにより形成され、壁面係合部材５１を壁面Ｙに係合させ、対象物側縁係合部材５２を所定の厚さをもつ対象物の側縁を係合させた状態で、板バネが伸びて両者間を縮めるような押圧力を生じさせるようになっている。このような押圧力付加器具５０は、家具Ｘの表出している縁部に係合させていけばよいので取り付け、取り外しの際の作業が容易に行える。
なお、ここで示す押圧力付加器具５０は家具の前縁に係合するものであったが家具の側面に係合させるようなものであってもよい。図１１にこのような押圧力付加器具５０を有する壁面取付構造Bにより家具Ｘが壁面Ｙに取り付けられた状態を示す一部拡大斜視図を示す。この押圧力付加器具５０は家具に係合する対象物側縁係合部材５２が側面に係合させるために小判型の板材と木ねじによって形成されている。また、この押圧力付加器具５０は押圧力付加部材５０として板バネの代わりにボルトが用いられている。このように家具の側面に係合させることにより家具の厚さが厚くなっても押圧力付加器具５０を大きくすることなく家具を固定することが可能となる。
さらに、このように木ねじ等で家具に傷をつける事を避けるために家具の側面に予め対象物側縁係合部材５２に係合するような構成を設けることも可能である。図１２に壁面取付構造Bにより家具Ｘに対象物側縁係合部材５２に係合するための溝を設けた家具Ｘが壁面Ｙに取り付けられた状態を示す一部拡大斜視図を示す。図に示す家具Ｘの側面には押圧力付加器具５０の対象物側縁係合部材５２に係合するための溝Ｘｃが上下に伸びるように形成されている。この溝Ｘｃに対応して対象物側縁係合部材５２は、溝Ｘｃに係合するように水平に張り出した板状部分を有している。このように家具Ｘに上下に伸びる係合するための溝Ｘｃを設けることで、家具Ｘを新たに傷付けることなく家具Ｘを固定できるとともに、壁の溝Ｙｃなどの壁側の係合部分との位置あわせも容易に行うことができる。
【図面の簡単な説明】
【００１４】
【図１】実施の形態１に係る壁面取付構造により取り付けられる家具と壁面の両者を取り外した状態を示す斜視図である。
【図２】実施の形態１に係る壁面取付構造により取り付けられた家具と壁面を示す縦断面図である。
【図３】実施の形態２に係る壁面取付構造により取り付けられた家具と壁面を示す縦断面図である。
【図４】（ａ）（ｂ）とも実施の形態２に係る壁面取付構造における反発部材の他の例を示す縦断面図である。
【図５】支持部材を有する壁面を示す一部破断斜視図である。
【図６】（ａ）は壁面から支持部材の縁部が突出した状態を示す斜視図であり、（ｂ）は壁面内へ支持部材の縁部が収まった状態を示す斜視図である。
【図７】壁面取付構造の他の例を示す縦断面図である。
【図８】（ａ）は折りたたみ式楔部材を折りたたんだ状態を示す側面図であり、（ｂ）は折りたたみ式楔部材を開いた状態を示す側面図である。
【図９】押圧力付加器具を用いて実施の形態２に係る壁面取付構造により取り付けられた家具と壁面を示す斜視図である。
【図１０】実施の形態２に係る壁面取付構造により取り付けられた家具と壁面の押圧力付加器具部分における縦断面図である。
【図１１】押圧力付加器具５０を用いて実施の形態２に係る壁面取付構造により取り付けられた家具と壁面の一部拡大斜視図である。
【図１２】押圧力付加器具５０を用いて実施の形態２に係る壁面取付構造により取り付けられた対象物側縁係合部材に係合するための溝を設けた家具と壁面を示す一部拡大斜視図である。
【符号の説明】
【００１５】
Ａ、Ｂ  壁面取付構造
Ｘ      家具
Ｙ      壁面
１      楔部材
１ａ    傾斜面
２      支持部材
２ａ    縁部
３      摩擦力付加部材
５      連結部材
６      反発部材
５０    押圧力付加器具
５１    壁面係合部材
５２    対象物側縁係合部材
５３    押圧力付加部材
【図１】
2005240999.tif 000003
【図２】
2005240999.tif 000004
【図３】
2005240999.tif 000005
【図４】
2005240999.tif 000006
【図５】
2005240999.tif 000007
【図６】
2005240999.tif 000008
【図７】
2005240999.tif 000009
【図８】
2005240999.tif 000010
【図９】
2005240999.tif 000011
【図１０】
2005240999.tif 000012
【図１１】
2005240999.tif 000013
【図１２】
2005240999.tif 000014